(57)【要約】【課題】トレッドモールドにおけるセグメント間のゴムの噛み込みを抑制する。【解決手段】トレッドモールド４が金型分割面Ｋにて分割される扇状のセグメント９は、周方向両外端に半径方向外側に向かって金型分割面Ｋに近づく向きに傾斜するガイド面２２を有するセグメント主部２０と、このセグメント主部２０とは相対的に前記ガイド面２２に沿って半径方向内外に進退移動可能に保持されかつ金型分割面Ｋを有するセグメント副部２１とからなる。セグメント９が金型開状態Ｙ１から金型閉状態Ｙ２まで移動する時、前記セグメント副部２１は、その半径方向内周面２１Ｓｉがセグメント主部２０の半径方向内周面２０Ｓｉよりも半径方向外方に後退する相対的後退位置Ｚ１から、半径方向内周面２１Ｓｉ、２０Ｓｉが実質的に面一状に整一する基準位置Ｚ０まで相対的に移動するとともに、前記金型閉状態Ｙ２に先駆けて、周方向に隣り合うセグメント副部２１、２１同士は前記金型分割面Ｋ、Ｋ間を互いに突き合わせて閉止する。【選択図】図３
2010179636.tif 000002
【特許請求の範囲】
【請求項１】
タイヤの一方のサイドウォール外面を成形するサイド成形面を有する上のサイドモールドと、他方のサイドウォール外面を成形するサイド成形面を有する下のサイドモールドと、トレッド外面を成形するトレッド成形面を有する環状のトレッドモールドとを具えるタイヤの加硫金型であって、
前記トレッドモールドは、タイヤ軸芯から半径方向に放射状にのびる金型分割面によって周方向に分割される中心角θの扇状のＮ個のセグメントからなり、
前記セグメントは、周方向で隣り合うセグメントの金型分割面間が互いに離間する金型開状態と、前記金型分割面間が互いに突き合わされかつ各セグメントの半径方向内周面が互いに連なって前記トレッド成形面を形成する金型閉状態との間を、前記中心角θの二等分線となる金型移動方向線Ｘに沿って半径方向内外に拡縮径移動しうるとともに、
前記セグメントは、
周方向両外端に、前記金型分割面に対して角度αでかつ半径方向外側に向かって該金型分割面に近づく向きに傾斜するガイド面を有し、しかも前記金型移動方向線Ｘに沿って半径方向内外に拡縮径移動しうるセグメント主部と、
このセグメント主部に、該セグメント主部とは相対的に前記ガイド面に沿って半径方向内外に進退移動可能に保持され、かつ周方向外端面を前記金型分割面としたセグメント副部とからなるとともに、
前記セグメント副部は、その半径方向内周面がセグメント主部の半径方向内周面と実質的に面一状に整一する基準位置と、セグメント副部の半径方向内周面がセグメント主部の半径方向内周面よりも半径方向外方に後退しかつ前記金型分割面が前記基準位置におけるセグメント副部の金型分割面よりも周方向外側に突出する相対的後退位置との間を進退移動でき、
しかも前記セグメントが、金型開状態から金型閉状態まで移動する時、前記セグメント副部は、前記相対的後退位置から基準位置まで移動するとともに、前記金型閉状態に先駆け、周方向に隣り合うセグメント副部同士が、前記金型分割面を互いに突き合わせて閉じることを特徴とするタイヤの加硫金型。
【請求項２】
前記角度αは、１５〜５５度であることを特徴とする請求項１記載のタイヤの加硫金型。
【請求項３】
前記セグメントは、前記セグメント副部を半径方向外側に付勢する、付勢手段を有することを特徴とする請求項１又は２記載のタイヤの加硫金型。
【発明の詳細な説明】
【技術分野】
【０００１】
本発明は、トレッド成形用のトレッドモールドを、周方向に分割された複数のセグメントによって形成した金型において、前記セグメント間におけるゴムの噛み込みを抑制でき、加硫タイヤの品質を向上しうるタイヤの加硫金型に関する。
【背景技術】
【０００２】
タイヤの加硫金型としては、従来、図７（Ａ）、（Ｂ）に示すように、タイヤｔの一方のサイドウォール外面を成形する上のサイドモールドａと、他方のサイドウォール外面を成形する下のサイドモールドｂと、トレッド外面を成形する環状のトレッドモールドｃとを具え、かつ該トレッドモールドｃを、タイヤ軸芯から放射状にのびる分割面ｃｋによって周方向に分割されかつ半径方向内外に移動可能な複数のセグメントｃ１により構成したものが広く知られている。
【０００３】
この加硫金型では、生タイヤｔをキャビティｈ内に投入した後、金型を閉じ、しかる後、生タイヤｔの内側をゴム製ブラダーｄなどを用いて加圧、膨張せしめ、生タイヤｔの外面ｔｓを金型面ｓに押し付けることによって加硫成形している。この場合、生タイヤｔが膨張する前にセグメントｃ１が閉じられるため、セグメントｃ１、ｃ１間でゴムを噛み込むという問題は特に発生しない。
【０００４】
これに対し、近年、寸法精度の高い空気入りタイヤを製造する方法として、タイヤの内面形状を規定する中子（剛体）の回りに、タイヤ構成部材を順次貼り付け、製品タイヤの最終形状に近い生タイヤを形成した後、その生タイヤを中子とともに金型内に投入して加硫する方法が提案されている（例えば特許文献１など参照。）。
【先行技術文献】
【特許文献】
【０００５】
【特許文献１】特開２００８−７４０１３号公報
【発明の概要】
【発明が解決しようとする課題】
【０００６】
しかしこの方法では、生タイヤｔが予め製品タイヤの最終形状に近い形状に形成されているため、金型を閉じるとき、前記セグメントｃ１は、生タイヤｔの外面ｔｓに接触しながら分割面ｃｋ、ｃｋ同士を突き合わせていく。従って、セグメント間にはゴムの噛み込みが発生し、加硫タイヤの外観品質、及びユニフォミティーを損ねるという問題を招く。
【０００７】
そこで本発明は、各セグメントを、セグメント主部とその周方向両外側のセグメント副部とで構成し、半径方向外側に向かって金型分割面に近づく向きに傾斜するセグメント主部のガイド面に沿ってセグメント副部を相対移動させることを基本として、縮径移動の際、金型閉状態に先駆けてセグメント副部同士を突き合わせて閉じることが可能となり、中子を用いた加硫成形においてもセグメント間のゴムの噛み込みを抑制でき、加硫タイヤの外観品質、及びユニフォミティーを向上しうるタイヤの加硫金型を提供することを目的としている。
【課題を解決するための手段】
【０００８】
上記課題を解決するために、本願請求項１の発明は、タイヤの一方のサイドウォール外面を成形するサイド成形面を有する上のサイドモールドと、他方のサイドウォール外面を成形するサイド成形面を有する下のサイドモールドと、トレッド外面を成形するトレッド成形面を有する環状のトレッドモールドとを具えるタイヤの加硫金型であって、
前記トレッドモールドは、タイヤ軸芯から半径方向に放射状にのびる金型分割面によって周方向に分割される中心角θの扇状のＮ個のセグメントからなり、
前記セグメントは、周方向で隣り合うセグメントの金型分割面間が互いに離間する金型開状態と、前記金型分割面間が互いに突き合わされかつ各セグメントの半径方向内周面が互いに連なって前記トレッド成形面を形成する金型閉状態との間を、前記中心角θの二等分線となる金型移動方向線Ｘに沿って半径方向内外に拡縮径移動しうるとともに、
前記セグメントは、
周方向両外端に、前記金型分割面に対して角度αでかつ半径方向外側に向かって該金型分割面から近づく向きに傾斜するガイド面を有し、しかも前記金型移動方向線Ｘに沿って半径方向内外に拡縮径移動しうるセグメント主部と、
このセグメント主部に、該セグメント主部とは相対的に前記ガイド面に沿って半径方向内外に進退移動可能に保持され、かつ周方向外端面を前記金型分割面としたセグメント副部とからなるとともに、
前記セグメント副部は、その半径方向内周面がセグメント主部の半径方向内周面と実質的に面一状に整一する基準位置と、セグメント副部の半径方向内周面がセグメント主部の半径方向内周面よりも半径方向外方に後退しかつ前記金型分割面が前記基準位置におけるセグメント副部の金型分割面よりも周方向外側に突出する相対的後退位置との間を進退移動でき、
しかも前記セグメントが、金型開状態から金型閉状態まで移動する時、前記セグメント副部は、前記相対的後退位置から基準位置まで移動するとともに、前記金型閉状態に先駆け、周方向に隣り合うセグメント副部同士が、前記金型分割面を互いに突き合わせて閉じることを特徴としている。
【０００９】
又請求項２の発明では、前記角度αは、１５〜５５度であることを特徴としている。
【００１０】
又請求項３の発明では、前記セグメントは、前記セグメント副部を半径方向外側に付勢する、付勢手段を有することを特徴としている。
【発明の効果】
【００１１】
本発明は叙上の如く、トレッドモールドを形成するための中心角θの扇状の複数のセグメントを、それぞれ、中央のセグメント主部と、このセグメント主部の周方向両端に設けたガイド面に沿って相対移動しうるセグメント副部とで構成している。そして、前記ガイド面を、半径方向外側に向かって金型分割面に近づく向きに傾斜させている。これにより、前記セグメント副部が、このガイド面に沿って半径方向内外に進退移動するとき、前記セグメント副部の周方向外端面である金型分割面を、周方向内外に移動させることができる。
【００１２】
従って、前記中心角θの二等分線となる金型移動方向線Ｘに沿ったセグメント主部の半径方向内外への拡縮径移動と、前記ガイド面に沿ったセグメント副部の半径方向内外への相対的な進退移動とを組み合わせることにより、前記セグメントが、金型開状態から金型閉状態まで移動する時、金型閉状態に先駆けて、周方向に隣り合うセグメント副部の金型分割面同士を互いに突き合わせて閉じることが可能となる。その結果、中子を用いた加硫成形においても、セグメント間のゴムの噛み込みを抑制でき、加硫タイヤの外観品質、及びユニフォミティーを向上させることができる。
【図面の簡単な説明】
【００１３】
【図１】本発明のタイヤの加硫金型の金型開状態を示す子午断面である。
【図２】加硫金型の金型閉状態を示す子午断面である。
【図３】加硫金型の金型開状態と金型閉状態とを示すタイヤ軸芯と直角な断面図である。
【図４】セグメントを拡大して示す断面図である。
【図５】（Ａ）は、金型開状態におけるセグメント主部と副部との位置関係を示す断面図、（Ｂ）は、縮径途中におけるセグメント主部と副部との位置関係（分割面閉止状態）を示す断面図である。
【図６】金型閉状態におけるセグメント主部と副部との位置関係を示す断面図である。
【図７】（Ａ）、（Ｂ）は従来の加硫金型を示す子午断面図、及びタイヤ軸芯と直角な断面図である。
【発明を実施するための形態】
【００１４】
以下、本発明の実施の一形態を、図示例とともに説明する。図１、２において、タイヤの加硫金型１は、タイヤＴの一方のサイドウォール外面を成形しうるサイド成形面２Ｓを有する上のサイドモールド２と、他方のサイドウォール外面を成形しうるサイド成形面３Ｓを有する下のサイドモールド３と、トレッド外面を成形するトレッド成形面４Ｓを有する環状のトレッドモールド４とを具える。
【００１５】
なお前記上、下のサイドモールド２、３は、それぞれトッププレート５、ベースプレート６に取り付き、前記トッププレート５は、本例では、プレス機の昇降台７等に、例えばシリンダなどの周知の昇降手段（図示しない。）を介して前記昇降台７等とは離間可能に昇降自在に支持される。又前記ベースプレート６は、本例では、例えばプレス機のテーブル台８等に支持される。なお前記昇降台７及びテーブル台８には、例えばヒータ内蔵の加熱用プラテン板（図示しない。）が付設され、加硫金型１に加硫熱を供給する。
【００１６】
次に、前記トレッドモールド４は、図３に示すように、タイヤ軸芯ｉから半径方向に放射状にのびる金型分割面Ｋによって周方向に分割される中心角θの扇状のＮ個のセグメント９から構成される。各前記セグメント９は、拡縮径手段１０（図１に示す。）に保持され、金型開状態Ｙ１と金型閉状態Ｙ２との間を、前記中心角θの二等分線となる金型移動方向線Ｘに沿って半径方向内外に拡縮径移動しうる。なお前記金型開状態Ｙ１は、周方向で隣り合うセグメント９の金型分割面Ｋ、Ｋ間が互いに離間する拡径状態であって、このとき金型内への生タイヤＴの投入、或いは加硫済みタイヤＴの金型からの取り出しが行われる。又金型閉状態Ｙ２は、前記金型分割面Ｋ、Ｋ間が互いに突き合わされ、かつ各セグメント９の半径方向内周面９Ｓが互いに連なって前記トレッド成形面４Ｓを形成する縮径状態であって、この状態にてタイヤＴが加硫成形される。なおセグメント９の分割数Ｎは、特に規制されないが、８〜１２が一般的である。
【００１７】
又本例では、生タイヤＴを中子１５とともに金型内に投入して加硫成形する場合が示されており、図１、２の如く、前記中子１５は、そのビード側部分を受ける上下の保持リング１６Ｕ、１６Ｌによって支持される。
【００１８】
又前記拡縮径手段１０は、本例では、各前記セグメント９をそれぞれ取付けるＮ個のトレッドセクター１１と、各トレッドセクター１１を半径方向内外に移動させるアウターリング１２とを含んで構成される。前記トレッドセクター１１は、前記ベースプレート６上で金型移動方向線Ｘに沿って半径方向内外に拡縮径移動可能に支持されるブロック体であり、その半径方向内面に、前記セグメント９を取り付けている。又トレッドセクター１１の半径方向外面１１Ｓは、下方に向かって半径方向外側に傾斜し、各外面１１Ｓが互いに協働して一つの滑らかなコーン面１３を形成する。
【００１９】
又前記アウターリング１２は、タイヤ軸芯ｉと同心な環状をなし、その上端が前記昇降台７等に支持されるとともに、その下端側かつ半径方向内周面には、前記コーン面１３と係合するコーン面１４が形成される。従って、前記拡縮径手段１０は、コーン面１３、１４が互いに係合することにより、昇降台７による前記アウターリング１２の上下移動を、トレッドセクター１１の半径方向内外への拡縮径移動に変換しうる。
【００２０】
そして本発明では、図３、４に示すように、前記セグメント９を、周方向中央のセグメント主部２０と、その周方向両外側に配される一対のセグメント副部２１、２１とに分割して構成している。
【００２１】
前記セグメント主部２０は、前記トレッドセクター１１に固定されることにより、該トレッドセクター１１とともに、前記金型移動方向線Ｘに沿って半径方向内外に拡縮径移動できる。又図４に示すように、セグメント主部２０は、その周方向両外端に、前記金型分割面Ｋに対して角度αで、しかも半径方向外側に向かって該金型分割面Ｋに近づく向きに傾斜（この傾斜の向きをマイナス傾斜と呼ぶ場合がある。）するガイド面２２を具える。
【００２２】
このガイド面２２は、その半径方向内端２２ａが前記セグメント主部２０の半径方向内周面２０Ｓｉ上に位置するとともに、半径方向外端２２ｂは、本例では前記セグメント主部２０の周方向外端面２０Ｅｏ上で終端している。すなわち、前記半径方向外端２２ｂは、前記セグメント主部２０の半径方向外周面２０Ｓｏよりも半径方向内方に、距離Ｌを隔てて位置している。又前記ガイド面２２には、その傾斜方向にのび、かつ内部に例えばコイルバネ２５Ａなどからなる付勢手段２５を収納する収納凹部２６が形成されている。
【００２３】
又前記セグメント副部２１は、前記ガイド面２２に沿って半径方向内外に進退移動可能に前記セグメント主部２０に支持される。具体的には、前記セグメント副部２１は、その周方向外端面２１Ｅｏを前記金型分割面Ｋとした断面略三角形状をなし、その周方向内端面２１Ｅｉを、前記ガイド面２２に案内される同傾斜の摺動面２４として形成している。なお前記ガイド面２２と摺動面２４とは、例えばＬＭガイド等の直線軸受け（図示しない。）を介して円滑に摺動可能に連結される。
【００２４】
そして、前記セグメント副部２１は、その半径方向内周面２１Ｓｉがセグメント主部２０の半径方向内周面２０Ｓｉと実質的に面一状に整一する基準位置Ｚ０と、セグメント副部２１の半径方向内周面２１Ｓｉがセグメント主部２０の半径方向内周面２０Ｓｉよりも半径方向外方に後退する相対的後退位置Ｚ１との間を、前記ガイド面２２に沿って半径方向内外に進退移動する。
【００２５】
なお前記摺動面２４には、前記収納凹部２６内に突出しかつ該収納凹部２６の半径方向外壁２６ａと当接しうるストッパ部２１Ａを具える。これにより、セグメント副部２１の半径方向外方への相対移動限界位置である相対的後退位置Ｚ１が規制される。本例では、相対的後退位置Ｚ１において、前記セグメント副部２１が前記セグメント主部２０の半径方向外周面２０Ｓｏよりも半径方向後方に突出しないように、前記距離Ｌが設定される。
【００２６】
又前記セグメント９には、前記セグメント副部２１を半径方向外側に付勢する付勢手段２５が設けられる。この付勢手段２５としては、例えばバネ等の弾性体、又はシリンダが好適に使用でき、本例では、コイルバネ２５Ａを用いた場合が例示される。このコイルバネ２５Ａは、前記収納凹部２６内かつ該収納凹部２６の半径方向内壁２６ｂと前記ストッパ部２１Ａとの間に設けられ、セグメント副部２１を半径方向外側に付勢する。
【００２７】
ここで、前記ガイド面２２が前記マイナス傾斜をなすため、前記相対的後退位置Ｚ１における前記セグメント副部２１の金型分割面Ｋの位置Ｐ１は、前記基準位置Ｚ０における金型分割面Ｋの位置Ｐ０に比して周方向外側に必然的に突出しうる。そして本発明では、この周方向外側への突出を利用することで、金型閉状態Ｙ２に先駆けて、金型分割面Ｋ、Ｋ同士を突き合わせることができる。
【００２８】
図５（Ａ）、（Ｂ）、図６に、前記セグメント９が、金型開状態Ｙ１から金型閉状態Ｙ２まで移動する際の動きが示される。
【００２９】
図５（Ａ）は金型開状態Ｙ１を示し、前記セグメント主部２０は、金型移動方向線Ｘに沿い半径方向外方の終端位置Ｑ１まで拡径移動している。この金型開状態Ｙ１では、前記セグメント副部２１は、付勢手段２５によって付勢され、前記ストッパ部２１Ａと収納凹部２６の外壁２６ａとが当接する相対的後退位置Ｚ１で保持される。このとき、隣り合う金型分割面Ｋ、Ｋ間は、互いに離間している。
【００３０】
又前記セグメント主部２０が、金型移動方向線Ｘに沿って半径方向内方に縮径移動していくと、隣り合う金型分割面Ｋ、Ｋ間が次第に接近し、その後、図５（Ｂ）に示すように、金型分割面Ｋ、Ｋ間が互いに突き合わされて閉止する分割面閉止状態Ｚａとなる。
【００３１】
この状態から縮径移動が進むと、セグメント主部２０、２０間がさらに近づくため、セグメント副部２１はセグメント主部２０に押し付けられる。このとき、前記ガイド面２２がマイナス傾斜しているため、前記セグメント副部２１は、前記分割面閉止状態Ｚａを維持しながら、前記ガイド面２２に沿って、セグメント主部２０に対して相対的に半径方向内側に前進移動を行う。
【００３２】
そして、縮径移動がさらに進み、図６に示すように、前記セグメント主部２０の半径方向内周面２０ＳｉがタイヤＴのトレッド外面に到達するとき、前記セグメント副部２１の半径方向内周面２１Ｓｉもトレッド外面にほぼ同時に到達する。このときセグメント９は、前記半径方向内周面２０Ｓｉ、２１Ｓｉが実質的に面一状に整一する基準位置Ｚ０となり、互いに協働して一連のトレッド成形面４Ｓを形成する金型閉状態Ｙ２をなす。
【００３３】
このように、本実施形態のトレッドモールド４では、前記金型閉状態Ｙ２に先駆けて、周方向に隣り合う金型分割面Ｋ、Ｋ同士を先に突き合わせて閉止できる。そのため、中子１５を用いた加硫成形においても、セグメント９、９間のゴムの噛み込みを抑制でき、加硫タイヤの外観品質、及びユニフォミティーを向上させることができる。
【００３４】
ここで、前記ガイド面２２の角度αが小さすぎると、セグメント副部２１の前進移動に際して、ガイド面２２と摺動面２４との間の接触圧が大きくなるため、前進移動がし難くなり前記動作の円滑性を損ねるとともに、分割面閉止状態Ｚａが、金型閉状態Ｙ２の近くで発生するため、生タイヤの形状バラツキによって、ゴム噛みが生じる恐れを招く。逆に角度αが大きすぎると、セグメント副部２１の周方向への動きが大きくなるため、生タイヤの形状バラツキによって、金型閉状態Ｙ２の近くで、セグメント副部２１の半径方向内周面２１Ｓｉと生タイヤとが周方向に擦れて、動作の円滑性を低下させる恐れがある。このような観点から、前記角度αはその下限値が１５度以上さらには３０度以上であるのが好ましく、又上限は、５５度以下、さらには４５度以下が好ましい。
【００３５】
又前記セグメント９では、前記相対的後退位置Ｚ１において、前記セグメント副部２１の半径方向内周面２１Ｓｉがセグメント主部２０の半径方向内周面２０Ｓｉから後退する後退量Ｈ（図４に示す。）は、前記距離Ｌ以下であるのが好ましい。もし後退量Ｈが距離Ｌを越えると、相対的後退位置Ｚ１において、セグメント副部２１がセグメント主部２０の半径方向外周面２０Ｓｏから半径方向に突出してしまい、セグメント副部２１がトレッドセクター１１と衝合する危険性を招く。
【００３６】
又前記付勢手段２５としては、シリンダを採用することもでき、係る場合には、セグメント副部２１の進退移動の動作をより確実、かつ正確に制御することができる。
【００３７】
以上、本発明の特に好ましい実施形態について詳述したが、本発明は中子を用いた加硫成形に限定されることなく、ブラダーを用いた加硫成形にも採用しうるなど、図示の実施形態に限定されることなく、種々の態様に変形して実施しうる。
【符号の説明】
【００３８】
１     加硫金型
２     上のサイドモールド
２Ｓ   サイド成形面
３     下のサイドモールド
３Ｓ   サイド成形面
４     トレッドモールド
４Ｓ   トレッド成形面
９     セグメント
２０   セグメント主部
２０Ｓｉ      半径方向内周面
２１   セグメント副部
２１Ｓｉ      半径方向内周面
２２   ガイド面
２５   付勢手段
ｉ     タイヤ軸芯
Ｋ     金型分割面
Ｔ     タイヤ
Ｙ１   金型開状態
Ｙ２   金型閉状態
Ｚ０   基準位置
Ｚ１   相対的後退位置
【図１】
2010179636.tif 000003
【図２】
2010179636.tif 000004
【図３】
2010179636.tif 000005
【図４】
2010179636.tif 000006
【図５】
2010179636.tif 000007
【図６】
2010179636.tif 000008
【図７】
2010179636.tif 000009